(57)【要約】【課題】顧客が利用可能なサービスを選択できないこと。【解決手段】商品の選択を受けつける画面を表示する表示手段と、顧客を識別する識別情報を入力する入力手段と、入力された顧客の識別情報と、顧客の階級とを記憶している顧客情報記憶手段から取得した顧客の階級に基づいて商品画面を切り替える切り替え手段と、を備えることを特徴とする発券機。【選択図】図１
2014096041.tif 000002
【特許請求の範囲】
【請求項１】
商品の選択を受けつける画面を表示する表示手段と、
前記顧客を識別する識別情報を入力する入力手段と、
前記入力された顧客の識別情報と、前記顧客の階級とを記憶している顧客情報記憶手段から取得した前記顧客の階級に基づいて画面を切り替える切り替え手段と、
を備えることを特徴とする発券機。
【請求項２】
前記顧客が購入した商品に基づいて、前記顧客に特典を付与する特典付与手段を更に備えることを特徴とする請求項１に記載の発券機。
【請求項３】
前記顧客情報記憶手段は、
前記顧客に付与された特典を更に記憶し、
前記切り替え手段は、
前記顧客情報記憶手段に記憶されている前記顧客の階級と、前記顧客に付与された特典とを取得し、前記顧客の階級に応じた商品と前記顧客に付与された特典で提供可能な商品とを、画面を切り替えることによって表示することを特徴とする請求項２に記載の発券機。
【発明の詳細な説明】
【技術分野】
【０００１】
本発明は、食券を発券する発券機に関する。
【背景技術】
【０００２】
従来、サービスを実施する機能を備えている食券販売機が存在する。しかし、このような自動販売機は、顧客単位の飲食履歴などに基づくものではなく、単に乱数などに基づいて不特定多数の人にサービスを行うものであった。
それに対して、ネットワークで顧客毎にポイント管理を行う機能を備えた食券販売機も提案されている（例えば、特許文献１参照）。
【先行技術文献】
【特許文献】
【０００３】
【特許文献１】特開２０００−３１５２７８号公報
【発明の概要】
【発明が解決しようとする課題】
【０００４】
特許文献１の食券販売機によれば、顧客は、自身が獲得したポイントに応じたサービスを受けることができる。しかしながら、特許文献１の技術では、顧客は利用可能なサービスを選択することができないという問題があった。
【０００５】
上記事情に鑑み、本発明は、顧客が利用可能なサービスを選択できる技術を提供することを目的としている。
【課題を解決するための手段】
【０００６】
本発明の一態様は、前記顧客を識別する識別情報を入力する入力手段と、前記入力された顧客の識別情報と、前記顧客の階級とを記憶している顧客情報記憶手段から取得した前記顧客の階級に基づいて商品画面を切り替える切り替え手段と、を備えることを特徴とする発券機である。
【０００７】
本発明の一態様は、上記の発券機であって、前記顧客が購入した商品に基づいて、前記顧客に特典を付与する特典付与手段を更に備える。
【０００８】
本発明の一態様は、上記の発券機であって、前記顧客情報記憶手段は、前記顧客に付与された特典を更に記憶し、前記切り替え手段は、前記顧客情報記憶手段に記憶されている前記顧客の階級と、前記顧客に付与された特典とを取得し、前記顧客の階級に応じた商品と前記顧客に付与された特典で提供可能な商品とを、画面を切り替えることによって表示する。
【発明の効果】
【０００９】
本発明により、顧客が利用可能なサービスを選択することが可能となる。
【図面の簡単な説明】
【００１０】
【図１】発券機を用いた発券システムのシステム構成を示すブロック図である。
【図２】発券機１０の外観構成を示した図である。
【図３】商品ファイルの一例を示す図である。
【図４】顧客ファイルの一例を示す図である。
【図５】サービスに関するファイルの一例を示す図である。
【図６】発券機１０の操作表示パネル１０８の表示例の一例を示す図である。
【図７】本発明の一実施形態による発券機１０の動作の一例を説明するためのフローチャートである。
【発明を実施するための形態】
【００１１】
以下、本発明の一実施形態を、図面を参照しながら説明する。
図１は、発券機を用いた発券システムのシステム構成を示すブロック図である。この発券システムは、飲食店あるいは食堂等に導入される。発券システムは、発券機１０、ネットワーク２０及び本部装置３０を備える。
【００１２】
発券機１０は、食券を発券する発券機であり、インターネット等のネットワーク２０に接続される。本部装置３０は、ネットワーク２０を介して発券機１０との間での通信を行う。本部装置３０は、発券機１０の動作の管理と発券機１０内の情報管理を行う。また、本部装置３０は、発券機１０から売上情報を収集して、売上情報の管理や売上情報に基づく商品の発注指示を行う。
【００１３】
次に、発券機１０の機能構成を説明する。まず、発券機１０の機能構成を説明する。
発券機１０は、ＣＰＵ（Central Processing Unit）１００と、ＲＯＭ（Read Only Memory）１０１と、ＲＡＭ（Random Access Memory）１０２と、コイン投入口１０３と、紙幣投入口１０４と、貨幣識別部１０５と、貨幣払出部１０６と、払出口１０７と、操作表示パネル１０８と、食券印字発行部１０９と、通信手段１１０と、カードリーダー１１１（入力手段）と、を備える。上記の発券機１０の各機能部は、バス１を介して互いに接続されている。
【００１４】
ＣＰＵ１００は、中央演算処理装置であり、ＲＯＭ１０１に記憶されているプログラムを読み出してＲＡＭ１０２に展開する。ＣＰＵ１００は、展開したプログラムの各ステップを実行することによって、発券機１０全体の動作を制御する。例えば、ＣＰＵ１００（表示手段）は、商品の選択を受け付ける画面を表示する。また、例えば、ＣＰＵ１００（特典付与手段）は、顧客が購入した商品に応じてポイント（特典）を付与する。また、例えば、ＣＰＵ１００（切り替え手段）は、顧客毎に通常の商品とポイント（特典）に応じたサービスとを含む表示画面（商品画面）に切り替えを行う。サービスとは、店舗側が、商品を購入する顧客に対して割引券や商品無料券などをポイントと引き換えに提供することである。
【００１５】
ＲＯＭ１０１は、読み出し専用のメモリであり、発券機１０を動作させるためのプログラムを予め記憶する。
ＲＡＭ１０２は、種々の情報を記憶する読み出し書き込みメモリである。ＲＡＭ１０２には、ＲＯＭ１０１から読み出されたプログラムが展開される。また、ＲＡＭ１０２は、プログラムが実行されることによって生成された各種データを記憶する。
【００１６】
例えば、ＲＡＭ１０２は、商品ファイルを記憶する。商品ファイルとは、商品に関する情報を記録しているファイルである。例えば、商品ファイルには、商品の品番、商品の品名、商品の値段、商品の商品実績、商品のポイントが記録されている。商品実績とは、購入された商品の数を表す。商品のポイントとは、顧客が商品を購入した際に付与されるポイントを表す。ポイント（特典）は、顧客がサービスを利用する際に使用される。ポイントは、例えば得点であっても良い。
【００１７】
また、ＲＡＭ１０２（顧客情報記憶手段）は、顧客ファイルを記憶する。顧客ファイルとは、顧客に関する情報を記録しているファイルである。例えば、顧客ファイルには、識別情報（顧客ＩＤ）、顧客情報が記録されている。識別情報とは、顧客を識別する情報である。顧客情報とは、顧客に関する情報である。
また、ＲＡＭ１０２は、サービスファイルを記憶する。サービスファイルとは、サービス（商品）に関する情報を記録しているファイルである。例えば、サービスファイルには、品番、ポイント、サービスが記録されている。
また、ＲＡＭ１０２は、会員ファイルを記憶する。会員ファイルとは、会員ランクに関する情報を記録しているファイルである。例えば、会員ファイルには、品番、会員ランク、ランク別サービスが記録されている。
【００１８】
コイン投入口１０３は、顧客が商品を購入する際にコイン（硬貨）が投入される投入口である。
紙幣投入口１０４は、顧客が商品を購入する際に紙幣が投入される投入口である。
貨幣識別部１０５は、コイン投入口１０３又は紙幣投入口１０４に投入された貨幣の種類（硬貨及び紙幣の種類）を識別する。
貨幣払出部１０６は、つり銭又は払出金として貨幣を払出口１０７から払い出す。
【００１９】
操作表示パネル１０８は、ＣＲＴ（Cathode Ray Tube）ディスプレイ、液晶ディスプレイ、有機ＥＬ（Electro Luminescence）ディスプレイ等の画像表示装置である。操作表示パネル１０８は、タッチパネルを用いて構成されており、商品（料理）の選択ボタンを表示する。ＣＰＵ１００は、顧客が所望の商品の選択ボタンに触れることによって選択された商品を判断する。また、操作表示パネル１０８には商品の選択ボタンの他に、「取消」ボタン、「まとめ買い」ボタン及び「設定」ボタンなども表示される。「まとめ買い」ボタンは、顧客が同一の商品（料理）を複数枚まとめて購入する際に使用するボタンである。「設定」ボタンは、店員が発券機１０の各種設定を行う際に使用するボタンである。
なお、操作表示パネル１０８は、商品選択画面と特別表示画面とを顧客に応じて切り替えて表示する。商品選択画面とは、顧客が商品を選択する画面である。特別表示画面とは、会員が商品を選択する画面である。会員とは、店舗で顧客情報を登録した顧客である。
食券印字発行部１０９は、ロール状のシートに商品（料理）名等を印字し切断することによって食券を発券する。また、食券印字発行部１０９は、単票の券に印字を行って食券として発券するように構成されても良い。
【００２０】
通信手段１１０は、ネットワーク２０を介して本部装置３０との間で通信を行う。通信手段１１０は、ＲＡＭ１０２に記憶されている各種ファイル（例えば、商品ファイル、顧客ファイル、サービスファイルなど）の情報を本部装置３０に送信する。また、通信手段１１０は、各種ファイル（例えば、商品ファイル、顧客ファイル、サービスファイルなど）の情報を本部装置３０から受信する。
カードリーダー１１１（入力手段）は、触れた顧客カード（媒体）に記憶されている顧客ＩＤ（識別情報）を読み取る。顧客カードとは、顧客情報を登録した店舗で顧客に対して発行されるカードである。顧客カードには、顧客ＩＤが記憶されている。なお、顧客を識別する識別情報を入力する入力手段としてカードリーダー１１１を示したがこれに限らず、バーコードリーダーを用いてバーコードを読取り、識別情報を入力してもよい。また、操作表示パネル１０８によって番号や記号等を置数入力あるいは選択入力させる方法で識別情報を入力させてもよい。また、顧客をカメラ等で撮像し、撮像した画像を識別情報として取り込んで顧客を特定するようにしてもよい。
【００２１】
図２は、発券機１０の外観構成を示した図である。発券機１０の前面にはコイン投入口１０３、紙幣投入口１０４、払出口１０７、操作表示パネル１０８、カードリーダー１１１が配置されている。操作表示パネル１０８には、商品を選択させる選択ボタンが表示される。顧客は、操作表示パネル１０８に表示された商品を見て所望の商品の選択ボタンに触れる。顧客は、選択した商品の金額に応じた代金をコイン投入口１０３又は紙幣投入口１０４から投入する。つり銭、払出金、発券された食券は、払出口１０７から払い出される。カードリーダー１１１には顧客カードが触れる。
【００２２】
図３は、商品ファイルの一例を示す図である。
商品ファイルは、商品に関する情報を表すレコード４０を複数有する。レコード４０は、品番、品名、値段、商品実績、ポイントの各値を有する。
品番の値は、レコード４０によって表される商品を特定するための識別番号を表す。品名の値は、レコード４０によって表される商品の名前を表す。値段の値は、レコード４０によって表される商品の販売価格を表す。商品実績の値は、レコード４０によって表される商品が購入された実績（数）を表す。商品実績の値は、商品が購入される度に、購入された商品の数だけ加算される。
【００２３】
ポイントの値は、レコード４０によって表される商品が購入された際に、顧客に対して付与されるポイントを表す。顧客は、ポイントを利用することによって、利用したポイントに応じたサービスを受けることができる。例えば、ポイントに応じたサービスは、無料飲食券、特定商品を無料でサービス、商品の値段割引券、大盛り無料券などである。顧客は、上記のサービスを利用することによって通常とは異なる料金で商品を購入できる。商品実績の値は、ポイントに応じたサービスを利用することによって商品が購入された場合でも、購入された商品の数だけ加算される。
図３の商品ファイルによれば、例えば、品番「ＡＡＡＡ」の商品は、商品名が「カレーライス」であり、値段が「４００円」であり、「４個」購入された実績があり、付与されるポイントが「４」である。
【００２４】
図４は、顧客ファイルの一例を示す図である。顧客ファイルは、顧客に関する情報を表すレコード４１を複数有する。レコード４１は、顧客ＩＤ、会員ランク、性別、年齢、誕生日、獲得ポイント、最終来店日、累計来店回数、累計購入代金、累計ポイントの各値を有する。
顧客ＩＤの値は、レコード４１によって表される顧客を識別するためのＩＤを表す。会員ランクの値は、レコード４１によって表される顧客の会員ランクを表す。顧客の会員ランクとは、会員登録時に顧客が決める階級である。性別の値は、レコード４１によって表される顧客の性別を表す。年齢の値は、レコード４１によって表される顧客の年齢を表す。誕生日の値は、レコード４１によって表される顧客の誕生日を表す。獲得ポイントの値は、レコード４１によって表される顧客が獲得したポイントを表す。
【００２５】
最終来店日の値は、レコード４１によって表される顧客が最後に商品を購入した日付を表す。累計来店回数の値は、レコード４１によって表される顧客がお店に来店した回数を表す。即ち、累計来店回数の値は、レコード４１によって表される顧客が商品を購入した回数を表す。累計購入代金の値は、レコード４１によって表される顧客が購入した商品の合計金額を表す。累計ポイントの値は、レコード４１によって表される顧客に付与されたポイントの合計ポイントを表す。
顧客ファイルに記録される情報（性別、年齢、誕生日）は、顧客カードを作成する際に店舗で登録された顧客の情報である。
【００２６】
獲得ポイント、最終来店日、累計来店回数、累計購入代金及び累計ポイントの各値は、商品が購入される度に更新される。具体的には、以下のような処理が行われる。ＣＰＵ１００は、商品が購入されると商品ファイルを読み出す。ＣＰＵ１００は、購入された商品に関するレコード４０を商品ファイルから取得する。ＣＰＵ１００は、取得したレコード４０に記録されているポイントの値を取得する。ＣＰＵ１００は、顧客ファイルを読み出し、商品を購入した顧客の顧客ＩＤ（以下、「購入者ＩＤ」という。）のレコード４１に記録されている獲得ポイントの値に、取得したポイントの値を加算して記録する。
【００２７】
ＣＰＵ１００は、購入者ＩＤのレコード４１に記録されている最終来店日の値に、商品が購入された日を記録する。ＣＰＵ１００は、購入者ＩＤのレコード４１に記録されている累計来店回数の値に、「１」を加算して記録する。ＣＰＵ１００は、購入者ＩＤのレコード４１に記録されている累計購入代金の値に、購入された商品の値段を加算して記録する。ＣＰＵ１００は、購入者ＩＤのレコード４１に記録されている累計ポイントの値に、取得したポイントの値を加算して記録する。
【００２８】
図５は、サービスに関するファイルの一例を示す図である。
図５（Ａ）は、サービスファイルの一例を示す図である。サービスファイルは、サービスに関する情報を表すレコード４２を複数有する。レコード４２は、品番、ポイント、サービスの各値を有する。
品番の値は、レコード４２によって表されるサービスを特定するための識別番号を表す。ポイントの値は、レコード４２によって表されるサービスを顧客が利用するのに必要なポイントを表す。サービスの値は、レコード４２によって表されるサービスの具体的な内容を表す。
【００２９】
図５（Ｂ）は、会員ファイルの一例を示す図である。会員ファイルは、会員ランクに関する情報を表すレコード４３を複数有する。レコード４３は、品番、会員ランク、ランク別サービスの各値を有する。
品番の値は、レコード４３によって表される会員ランクを特定するための識別番号を表す。会員ランクの値は、レコード４３によって表される会員ランクの具体的な種類を表す。会員ランクは、例えば、プラチナ会員、ゴールド会員、シルバー会員、ブロンズ会員、ルーキー会員などがある。なお、プラチナ会員、ゴールド会員、シルバー会員及びブロンズ会員は、有料会員であり、ルーキー会員は、無料会員を表す。会員ランクは、プラチナ会員、ゴールド会員、シルバー会員、ブロンズ会員、ルーキー会員の順に階級が高いことを表す。また、有料会員の各種会員ランクは、会員ランク毎に登録にかかる金額が異なる。
【００３０】
ランク別サービスの値は、レコード４３によって表される会員ランク毎のサービスの具体的な内容を表す。ランク別サービスの具体例として、通常商品割引及びサービスポイントなどがある。通常商品割引率の値は、レコード４３によって表される会員ランク毎に与えられる通常商品の割引率の値を表す。例えば、通常商品割引率の値「５０」は、通常商品を５０％割引することを表す。なお、通常商品割引率の値「−」は、通常商品を割引しないことを表す。サービスポイントの値は、レコード４３によって表される会員ランク毎に付加されるポイントの倍率を表す。例えば、サービスポイントの値「５」は、購入された商品に付与されるポイントを“５倍”にすることを表す。即ち、サービスポイントの値「５」は、購入された商品に付与されるポイントに“５”を乗算することを表す。
上述した会員ファイルに示すように、顧客は会員ランクの高い階級（例えば、プラチナ）であるほど、質の高いサービスを受けることができる。
【００３１】
図６は、発券機１０の操作表示パネル１０８の表示例の一例を示す図である。
図６（Ａ）は、商品選択画面１０８ａの一例を示す図である。ＣＰＵ１００は、商品ファイルに記録されている各商品の品名と商品の値段とを商品選択画面１０８ａの選択ボタン５０に表示する。例えば、ＣＰＵ１００は、１つの選択ボタン５０に品名「カレーライス」と値段「４００円」とを表示する。また、例えば、ＣＰＵ１００は、１つの選択ボタン５０に品名「焼きそば」と値段「３５０円」とを表示する。以後の説明では、商品ファイルに記録されている商品を通常商品として説明する。また、商品選択画面１０８ａは、通常、操作表示パネル１０８に表示されている画面である。
【００３２】
顧客は、商品選択画面１０８ａを見て所望の商品を選択して、選択ボタン５０に触れる。顧客は、選択した商品の代金をコイン投入口１０３又は紙幣投入口１０４から投入する。食券印字発行部１０９は、商品の代金が投入されると、選択された商品の食券を発券する。食券印字発行部１０９は、発券した食券を払出口１０７から払い出す。貨幣払出部１０６は、つり銭や払出金を必要に応じて払出口１０７から払い出す。
【００３３】
図６（Ｂ）は、特別表示画面１０８ｂの一例を示す図である。ＣＰＵ１００は、カードリーダー１１１に触れた顧客カードの顧客ＩＤ毎に異なる特別表示画面１０８ｂを表示する。
以下、処理の具体例について説明する。通常、操作表示パネル１０８には商品選択画面１０８ａが表示されている。顧客ＩＤ「０００１」が記憶されている顧客カードを顧客がカードリーダー１１１に接触させる。カードリーダー１１１は、触れた顧客カードに記憶されている顧客ＩＤ「０００１」を取得する。ＣＰＵ１００は、カードリーダー１１１から顧客ＩＤ「０００１」を取得する。その後、ＣＰＵ１００は、ＲＡＭ１０２に記憶されている顧客ファイルを読み出す。ＣＰＵ１００は、読み出した顧客ファイルに記録されているレコード４１のうち、顧客ＩＤ「０００１」に対応するレコード４１を選択する。
【００３４】
ＣＰＵ１００は、選択したレコード４１に記録されている会員ランクの値「プラチナ」と獲得ポイントの値「１５０」とを取得する。ＣＰＵ１００は、ＲＡＭ１０２に記憶されているサービスファイル及び会員ファイルを読み出す。ＣＰＵ１００は、サービスファイルに記録されているレコード４２のうち、ポイントの項目の値が「１５０」以下のレコード４２を選択する。ＣＰＵ１００は、選択したレコード４２毎に記録されているサービスの値及びポイントの値を取得する。また、ＣＰＵ１００は、ＲＡＭ１０２に記憶されている会員ファイルを読み出す。ＣＰＵ１００は、会員ファイルに記録されているレコード４３のうち、取得した会員ランクの値「プラチナ」に対応するレコード４３を選択する。ＣＰＵ１００は、選択したレコード４３に記録されている通常商品割引率の値「５０」とサービスポイントの値「５」とを取得する。そして、ＣＰＵ１００は、取得したサービスの各値及びポイントの各値と通常商品割引率の値「５０」に応じて割引された通常商品とを操作表示パネル１０８ｂに表示する。
【００３５】
顧客は、特別表示画面１０８ｂを見て所望の商品を選択して、選択ボタン５０ｂに触れる。食券印字発行部１０９は、顧客によって選択された商品の食券を発券する。食券印字発行部１０９は、発券した食券を払出口１０７から払い出す。また、貨幣払出部１０６は、つり銭や払出金を必要に応じて払出口１０７から払い出す。ＣＰＵ１００は、購入された商品に設定されているポイントと、サービスポイントの値「５」とを乗算することによって顧客に付与するポイントを算出する。ＣＰＵ１００は、算出したポイントを、商品を購入した顧客に付与する。ＣＰＵ１００は、付与したポイントを、商品を購入した顧客の獲得ポイントの値に加算して記録する。
【００３６】
また、顧客がサービスの項目に関する選択ボタン５０ｂに触れると、ＣＰＵ１００はサービスファイルを読み出す。ＣＰＵ１００は、サービスファイルから選択されたサービスのレコード４２を取得する。ＣＰＵ１００は、取得したレコード４２によって表されるポイントの値を取得する。ＣＰＵ１００は、顧客ファイルを読み出し、サービスを利用した顧客に対応する顧客ＩＤ（以下、「利用者ＩＤ」という。）のレコード４１によって表される獲得ポイントの値から選択されたサービスに必要なポイントの値を減算して記録する。
以上で、処理の具体例についての説明を終える。
【００３７】
図７は、本発明の一実施形態による発券機１０の動作の一例を説明するためのフローチャートである。
ステップＳ１０：ＣＰＵ１００は、操作表示パネル１０８に商品選択画面を表示する。その後、ステップＳ１２の処理に進む。
ステップＳ１２：ＣＰＵ１００は、顧客カードの読み取りがあったか否かを判断する。顧客カードの読み取りがあった場合、ステップＳ１４の処理に進む。顧客カードの読み取りがなかった場合、ステップＳ１８の処理に進む。
【００３８】
ステップＳ１４：カードリーダー１１１は、顧客カードが触れると、顧客カードに記憶されている顧客ＩＤを読み取る。ＣＰＵ１００は、カードリーダー１１１から顧客ＩＤを取得する。ＣＰＵ１００は、ＲＡＭ１０２に記憶されている顧客ファイルを読み出す。ＣＰＵ１００は、取得した顧客ＩＤに対応するレコード４１を顧客ファイルから取得する。ＣＰＵ１００は、取得したレコード４１によって表される会員ランク及び獲得ポイントの各値を取得する。その後、ステップＳ１６の処理に進む。
【００３９】
ステップＳ１６：ＣＰＵ１００は、ＲＡＭ１０２に記憶されているサービスファイルを読み出す。ＣＰＵ１００は、サービスファイルに記録されているレコード４２のうち、ポイントの値が顧客ＩＤに対応する顧客の獲得ポイントの値以下のレコード４２を選択する。ＣＰＵ１００は、選択したレコード４２毎に記録されているサービスの値及びポイントの値を取得する。また、ＣＰＵ１００は、ＲＡＭ１０２に記憶されている会員ファイルを読み出す。ＣＰＵ１００は、会員ファイルに記録されているレコード４３のうち、取得した会員ランクの値に対応するレコード４３を選択する。ＣＰＵ１００は、選択したレコード４３に記録されているランク別サービスの値を取得する。
その後、ＣＰＵ１００は、取得したサービスの値及びポイントの値とランク別サービスの値に応じて割引された通常商品とを操作表示パネル１０８に表示する。その後、ステップＳ１８の処理に進む。
【００４０】
ステップＳ１８：ＣＰＵ１００は、商品の選択を受け付ける。その後、ステップＳ２０の処理に進む。
ステップＳ２０：ＣＰＵ１００は、サービスが利用されたか否かを判断する。具体的には、操作表示パネル１０８に表示されている選択ボタン５０には、商品と値段の他に商品毎の品番が割り当てられている。ＣＰＵ１００は、選択ボタン５０が押下されることによって、押下された選択ボタンに割り当てられている商品の品番を取得する。ＣＰＵ１００は、商品ファイルを読み出し、取得した商品の品番に対応するレコード４０が存在するか否かを判断する。商品の品番に対応するレコード４０が存在する場合、ＣＰＵ１００はサービスが利用（選択）されていないと判断する。その後、ステップＳ２４の処理に進む。
一方、商品の品番に対応するレコード４０が存在しない場合、ＣＰＵ１００はサービスが利用された判断する。その後、ステップＳ２２の処理に進む。
【００４１】
ステップＳ２２：ＣＰＵ１００は、ＲＡＭ１０２に記憶されているサービスファイルを読み出す。ＣＰＵ１００は、サービスファイルのレコード４２のうち、ステップＳ２０で取得した商品の品番に対応するレコード４２を取得する。ＣＰＵ１００は、取得したレコード４２に登録されているポイントの値を取得する。ＣＰＵ１００は、ＲＡＭ１０２に記憶されている顧客ファイルを読み出す。ＣＰＵ１００は、顧客ファイルに記録されている利用者ＩＤの獲得ポイントの値から利用されたサービスに必要なポイントの値を減算して記録する。その後、ステップＳ１８の処理に進む。
【００４２】
ステップＳ２４：コイン投入口１０３又は紙幣投入口１０４は、商品の代金の投入を受け付ける。ＣＰＵ１００は、商品の代金の決済が行われると食券印字発行部１０９に選択された商品の食券の発券を指示する。その後、ステップＳ２６の処理に進む。
【００４３】
ステップＳ２６：食券印字発行部１０９は、指示された商品の食券を発券する。食券印字発行部１０９は、発券した食券を払出口１０７から払い出す。また、貨幣払出部１０６は、つり銭や払出金を必要に応じて払出口１０７から払い出す。また、ＣＰＵ１００は、ＲＡＭ１０２に記憶されている商品ファイルを読み出して、発券された食券の数に応じて商品実績の値を加算して商品ファイルに記録する。なお、ステップＳ１２の処理において、顧客カードの読み取りがあった場合には以下の処理が行われる。ＣＰＵ１００は、購入された商品に応じてポイントを、会員ランク毎のサービスポイントと乗算することによって算出する。ＣＰＵ１００は、商品を購入した顧客の獲得ポイントの値に算出した値を加算して記録する。ＣＰＵ１００は、商品を購入した顧客の最終来店日、累計来店回数、累計購入代金の値を更新する。その後、処理を終了する。
【００４４】
以上のように構成された発券機１０によれば、顧客が獲得したポイントに応じて、顧客に対して提供可能なサービスを選択するための画面が表示される。即ち、発券機１０は、顧客の獲得ポイントに応じて提供可能なサービスを判断し、提供可能と判断されたサービスの選択を受け付けるための特別表示画面を表示する。そのため、顧客は操作表示パネル１０８に表示されたサービスの中から利用したいサービスを自由に選択する事が可能となる。
また、発券機１０は、通常商品とサービスとを一緒に操作表示パネル１０８に表示しても良い。このように構成された場合、顧客は、サービスと通常商品とをほぼ同時に見ることが可能となるため、容易に所望のサービスを選択することが可能となる。
また、発券機１０は、会員ランクに応じて異なる値段の通常商品を表示する。そのため、顧客は会員ランクが高くなるほど質の高いサービスを受けることが可能となる。そして、店舗側ではこのようなサービスを提供することによって、顧客の満足度を増加させる。その結果、店舗側では、顧客の来店頻度を増やし売上を向上させることが可能となる。
【００４５】
＜変形例＞
操作表示パネル１０８には、「次画面」ボタンが表示されるように構成されても良い。この場合、操作表示パネル１０８は、「次画面」ボタンがタッチされると、１画面には収まりきらなかったその他の商品を表示させることができる。その他の商品とは、商品ファイルに記録されている商品である。また、操作表示パネル１０８には、「次画面」ボタンがタッチされて表示画面が変更された場合、「戻る」ボタンが表示される。この場合、操作表示パネル１０８は、「戻る」ボタンがタッチされると、１つ前の表示画面に戻る。
【００４６】
また、操作表示パネル１０８は、「領収書」ボタンが表示されるように構成されても良い。この場合、顧客が「領収書」ボタンに触れると、ＣＰＵ１００は食券印字発行部１０９に領収書を印字する指示を送る。食券印字発行部１０９は、領収書を印字して払出口１０７から領収書を払い出す。
また、操作表示パネル１０８には、投入金額及び残額が表示されるように構成されても良い。この場合、操作表示パネル１０８は、投入金額に顧客が投入した金額を表示し、残額に選択された商品の金額と投入された金額との差額を表示する。
【００４７】
顧客カードは、磁気カード、ＩＣカード、光カード、バーコードカード、印刷カード等の顧客を識別できる情報の記憶機能を有したカードであればどのようなカードでも良い。
代金の決済は、現金での決済に限定される必要はなく、電子マネー決済、カード決済（例えば、プリペイド方式等のカード）などで行われても良い。
操作表示パネル１０８に表示される商品は、季節に応じて男女毎に表示の順番を変えて表示されても良い。また、操作表示パネル１０８に表示される商品は、顧客の購入履歴に応じて商品が表示される順番を変えても良いし、おすすめ商品やお得な商品が強調して表示されても良い。
【００４８】
また、操作表示パネル１０８に表示される各商品（料理）の選択ボタン５０は、商品（料理）の画像や商品（料理）を特定できる情報であればどのような表示であっても良い。また、本実施形態において、選択ボタン５０は、操作表示パネル１０８のタッチパネルとしたが、これに限定される必要はない。例えば、本発明の趣旨を逸脱しない範囲であれば、機械式の選択ボタン等を用いて構成されても良い。
【００４９】
通信手段１１０は、所定のタイミングで（例えば、一日毎、一週間毎など）、商品ファイルに記憶されている商品実績を本部装置３０に送信しても良いし、発券機１０を有している他の店舗に送信しても良い。
商品実績の値は、一日ごとにリセットされても良いし、所定の期間（例えば、一日毎、一週間毎など）収集した後にリセットされても良い。
顧客ＩＤは、顧客を一意に特定できる情報であれば、どのような情報であっても良い。
顧客カードに顧客情報が記憶されるように構成されても良い。この場合、発券機１０は顧客カードに記憶されている顧客情報に基づいて表示画面の切り替えを行う。また、顧客が獲得したポイントは、発券機１０内に記憶しても良いし、本部装置３０に記憶させても良い。
【００５０】
発券機１０は、料理を提供するための食券を発券する発券機１０に限定される必要はなく、他のサービスを提供するために券を発券する発券機１０でも良い。例えば、発券機１０は、スポーツに使用する道具の貸し借りを行う際に使用する券を発券しても良いし、マッサージ等のサービスを受ける際に使用する券を発券しても良い。
発券機１０は、１店舗で複数台利用される構成でも良い。
複数の発券機１０の中の１つの発券機１０が、本部装置３０として機能するように構成されても良い。
各ファイル（例えば、商品ファイル、顧客ファイル、サービスファイル、会員ファイル）は、必ずしもＲＡＭ１０２に記憶される必要はなく、不揮発性メモリに記憶されても良い。
【００５１】
本実施例では、図３の商品ファイルのように商品毎にポイントが付与される構成を示したが、ポイントの付与方法はこれに限定される必要はない。例えば、ＣＰＵ１００は、顧客ファイルに記録されている累計購入代金の値が一定の金額以上（例えば、５０００円、１万円など）になった場合にポイントを付与しても良い。また、例えば、ＣＰＵ１００は、累計来店回数の値が一定の回数以上（例えば、１００回、５００回など）になった場合にポイントを付与しても良い。
また、顧客が獲得ポイントを利用しなかった場合、ＣＰＵ１００はポイントを利用しなかった顧客に対してポイントを加算しても良いし、獲得ポイントを倍にしても良いし、次回使用できる特別商品のサービスを付与しても良い。
【００５２】
また、例えば、図４の顧客ファイルにポイント対象購入金額の項目が記録されても良い。ポイント対象購入金額の値は、レコード４１によって表される顧客が商品を購入した際に付与されるポイントの対象となる金額を表す。例えば、ポイント対象購入金額の項目に「１００」が記録されている場合、ＣＰＵ１００は商品の購入金額が１００円毎に１ポイントを付与する。具体的には、図３の商品ファイルによれば、品名「カレーライス」の商品は、値段が「４００円」である。ＣＰＵ１００は、「カレーライス」が購入されるとポイントを「４」付与する。ＣＰＵ１００は、付与したポイントを購入者ＩＤに対応付けて顧客ファイルに記録する。
【００５３】
ＣＰＵ１００は、顧客ファイルに登録されている誕生日の日に商品を購入した顧客に対して、商品のポイントとは別にポイントを付与しても良い。また、顧客の利用日が誕生日や誕生月などである場合、ＣＰＵ１００は誕生日用の特別商品を特別表示画面１０８ｂに表示しても良い。
発券機１０は、有料会員の会員ランク毎に異なる特別商品を表示画面に表示するように構成されても良い。
また、本実施例では、会員ランクは会員登録時に顧客が決定する構成で示したが、これに限定される必要はなく、顧客の申請に応じて会員ランクが変更されても良い。
発券機１０は、無料会員（ルーキー会員）に会員ランクが設定されるように構成されても良い。例えば、発券機１０は、無料会員の顧客の累積ポイントの値に応じて、会員ランク（Ｓランク、Ａランク、Ｂランク、Ｃランク）を設定しても良い。このように設定されることによって、発券機１０は無料会員の中でも異なるサービスを提供することができる。また、発券機１０は、無料会員の顧客の累積ポイントの値に応じて有料会員（例えば、ブロンズ会員）に昇級するように構成されても良い。
【００５４】
以上、この発明の実施形態について図面を参照して詳述してきたが、具体的な構成はこの実施形態に限られるものではなく、この発明の要旨を逸脱しない範囲の設計等も含まれる。
【００５５】
なお、本発明の発券機１０の各処理を実行するためのプログラムをコンピュータ読み取り可能な記録媒体に記録して、当該記録媒体に記録されたプログラムをコンピュータシステムに読み込ませ、実行することにより、発券機１０の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００５７】
１０…発券機，  ２０…ネットワーク，  ３０…本部装置，  １００…ＣＰＵ（表示手段、切り替え手段，特典付与手段），  １０１…ＲＯＭ，  １０２…ＲＡＭ（顧客情報記憶手段），  １０３…コイン投入口，  １０４…紙幣投入口，  １０５…貨幣識別部，  １０６…貨幣払出部，  １０７…払出口，  １０８…操作表示パネル，  １０９…食券印字発行部（発券手段），  １１０…通信手段，  １１１…カードリーダー（情報読み取り手段）
【図１】
2014096041.tif 000003
【図２】
2014096041.tif 000004
【図３】
2014096041.tif 000005
【図４】
2014096041.tif 000006
【図５】
2014096041.tif 000007
【図６】
2014096041.tif 000008
【図７】
2014096041.tif 000009